(57)【要約】【課題】湯張り処理の開始後において迅速に浴槽の排水栓の開状態を判断して、浴槽に供給される湯水及びその湯水を加熱するために要したエネルギーが無駄になることを防止することができる自動風呂装置を提供する。【解決手段】浴槽Ｙ１から浴槽Ｙ１に接続された排水路Ｙ４へ排出された湯水の流れにより動作する動作部１０と、動作部１０の動作により発電する発電部Ｚと、発電部Ｚにおいて発電された電力Ｖにより作動し、かつ、発電部Ｚから電力Ｖが供給されると湯水排出信号Ｓａを無線で送信する無線信号送信部Ｓと、無線で送信された湯水排出信号Ｓａを受信して、湯水排出信号Ｓａを湯水供給制御部に伝える無線信号受信部とが備えられ、湯水供給制御部が、湯張り処理の実行時において、無線信号受信部から湯水排出信号Ｓａを受けた場合に、排水路Ｙ４を開閉する排水栓Ｙ３が開いていると判断する。【選択図】図２
2016166716.tif 000002
【特許請求の範囲】
【請求項１】
浴槽に湯水を供給する湯水供給部と、前記湯水供給部の作動を制御する湯水供給制御部とを備え、
前記湯水供給制御部が、前記浴槽への湯張りを開始する湯張指令を受け付けると、前記湯水供給部により前記湯水を前記浴槽内に供給する湯張り処理を実行するように構成されている自動風呂装置であって、
前記浴槽から当該浴槽に接続された排水路へ排出された湯水の流れにより動作する動作部と、前記動作部の動作により発電する発電部と、前記発電部において発電された電力により作動し、かつ、前記発電部から電力が供給されると湯水排出信号を無線で送信する無線信号送信部と、無線で送信された前記湯水排出信号を受信して、前記湯水排出信号を前記湯水供給制御部に伝える無線信号受信部とが備えられ、
前記湯水供給制御部が、前記湯張り処理の実行時において、前記無線信号受信部から前記湯水排出信号を受けた場合に、前記排水路を開閉する排水栓が開いていると判断するように構成されている自動風呂装置。
【請求項２】
前記湯水供給制御部が、前記湯張り処理の実行時において、前記排水栓が開いていると判断した場合に、前記湯張り処理を中止する請求項１に記載の自動風呂装置。
【請求項３】
前記無線信号受信部が、前記浴槽が配設された浴室に設置された浴室リモコンに設けられている請求項１又は２に記載の自動風呂装置。
【請求項４】
前記排水路において前記動作部よりも前記浴槽側に、前記浴槽から排出された湯水が通過するフィルターが設けられている請求項１から３の何れか１項に記載の自動風呂装置。
【発明の詳細な説明】
【技術分野】
【０００１】
本発明は、浴槽に湯水を供給する湯水供給部と、湯水供給部の作動を制御する湯水供給制御部とを備え、湯水供給制御部が、浴槽への湯張りを開始する湯張指令を受け付けると、湯水供給部により湯水を浴槽内に供給する湯張り処理を実行するように構成されている自動風呂装置に関する。
【背景技術】
【０００２】
かかる自動風呂装置の従来例として、湯張り処理の開始後において、湯水供給部から浴槽に供給した湯水量が、浴槽の側面に設けられたバスアダプターを超える水位に相当する湯水量となると、バスアダプターから浴槽内の湯水を取り入れる追焚循環路に設けられた水流スイッチにより、浴槽内の水位がバスアダプターを超える水位となっているか否かを検知し、バスアダプターを超える水位を検知することができない場合には、浴槽の排水栓が開いていると判断して、浴槽への湯水の供給を中止するものがある（例えば、特許文献１参照）。
【先行技術文献】
【特許文献】
【０００３】
【特許文献１】特開平３―１４０７５０号公報
【発明の概要】
【発明が解決しようとする課題】
【０００４】
しかしながら、上記特許文献１の自動風呂装置では、湯張り処理を開始して、バスアダプターを超える水位に相当する湯水量が浴槽に供給された後に、排水栓が開いているか否かが判断されるので、湯張り処理の開始後において、その判断がなされるまでに時間を要することとなる。よって、浴槽の排水栓が開いている場合には、湯張り処理の開始後からその判断がなされるまでに浴槽に供給された湯水が排水路から排出されるので、湯水及びその湯水を加熱するために要したエネルギーが無駄になるという問題がある。
【０００５】
本発明は、かかる点に着目してなされたものであり、その目的は、湯張り処理の開始後において迅速に浴槽の排水栓が開状態であるか否かを判断して、浴槽に供給される湯水及びその湯水を加熱するために要したエネルギーが無駄になることを簡便に防止することができる自動風呂装置を提供することにある。
【課題を解決するための手段】
【０００６】
この目的を達成するための本発明に係る自動風呂装置は、
浴槽に湯水を供給する湯水供給部と、前記湯水供給部の作動を制御する湯水供給制御部とを備え、
前記湯水供給制御部が、前記浴槽への湯張りを開始する湯張指令を受け付けると、前記湯水供給部により前記湯水を前記浴槽内に供給する湯張り処理を実行するように構成されている自動風呂装置であって、その特徴構成は、
前記浴槽から当該浴槽に接続された排水路へ排出された湯水の流れにより動作する動作部と、前記動作部の動作により発電する発電部と、前記発電部において発電された電力により作動し、かつ、前記発電部から電力が供給されると湯水排出信号を無線で送信する無線信号送信部と、無線で送信された前記湯水排出信号を受信して、前記湯水排出信号を前記湯水供給制御部に伝える無線信号受信部とが備えられ、
前記湯水供給制御部が、前記湯張り処理の実行時において、前記無線信号受信部から前記湯水排出信号を受けた場合に、前記排水路を開閉する排水栓が開いていると判断するように構成されている点にある。
【０００７】
上記特徴構成によれば、浴槽から排水路へ排出された湯水の流れにより動作部が動作し、その動作により発電部において発電されることで、無線信号送信部から湯水排出信号が無線信号受信部を通して湯水供給制御部に伝えられるように構成されている。よって、浴槽から排水路へ湯水が排出された場合には、湯水排出信号が湯水供給制御部に伝えられることとなる。
【０００８】
また、浴槽の排水路を開閉する排水栓が開いている場合には、浴槽に供給された湯水が浴槽内に滞留することなく排水路から排出されるので、浴槽への湯水の供給の開始に伴って動作部が動作する。よって、排水栓が開いている場合には、湯水供給制御部が湯張り処理を開始した後、迅速に湯水排出信号が湯水供給制御部に伝えられる。
【０００９】
そして、湯水供給制御部が、湯張り処理の実行時において湯水排出信号を受けた場合に、排水路を開閉する排水栓が開いていると判断する。つまり、湯水供給制御部は、湯張り処理の開始後において迅速に伝えられる湯水排出信号により、湯張り処理の実行時において迅速に排水栓が開いていると判断することができる。
【００１０】
湯水供給制御部が、迅速に排水栓が開いていると判断することで、例えば、湯張り処理の開始直後に浴槽への湯水の供給を中断することにより、浴槽から排水路に流出する湯水の量を僅かな量とすることができる。よって、浴槽に供給された湯水及びその湯水を加熱するために要したエネルギーが無駄になることを防止することができる。
【００１１】
また、上記特徴構成によれば、浴槽から排水路へ排出された湯水の流れによる動作部の動作により発電部において発電された電力を利用して、無線信号送信部から湯水排出信号を無線で無線信号受信部に送信する。つまり、無線信号送信部を動作させるための電力を供給する電源供給ラインや電池等、及び、湯水排出信号を無線信号送信部から無線信号受信部に送信するための配線を設ける必要がない。従って、装置の構成を簡素化することができつつ、装置の施工及びメンテナンスの容易化を図ることができる。
【００１２】
本発明に係る自動風呂装置の更なる特徴構成は、
前記湯水供給制御部が、前記湯張り処理の実行時において、前記排水栓が開いていると判断した場合に、前記湯張り処理を中止する点にある。
【００１３】
上記特徴構成によれば、湯張り処理の実行時において、排水栓が開いていると判断した場合に湯張り処理を中止する。つまり、排水栓が開いていると判断した場合に浴槽への湯水の供給を停止することができるので、その判断がなされた後において湯水及びその湯水を加熱するために要したエネルギーが無駄になることを回避することができる。
【００１４】
本発明に係る自動風呂装置の更なる特徴構成は、
前記無線信号受信部が、前記浴槽が配設された浴室に設置された浴室リモコンに設けられている点にある。
【００１５】
上記特徴構成によれば、湯水排出信号を受信する無線信号受信部を浴槽が配設された浴室に設置された浴室リモコンに設けることで、無線信号送信部と無線信号受信部との距離が近くなる。よって、湯水排出信号を無線信号送信部から無線信号受信部まで送信するために大きな電力は不要となる。従って、発電部から無線信号送信部に供給される電力が小さな電力であっても、無線信号送信部から湯水排出信号を無線信号受信部まで送信することができる。また、既存の浴室リモコンに無線信号受信部を設けることで、既存の浴室リモコンを利用して、無線信号送信部と無線信号受信部との距離を近づけることができる。
【００１６】
本発明に係る自動風呂装置の更なる特徴構成は、
前記排水路において前記動作部よりも前記浴槽側に、前記浴槽から排出された湯水が通過するフィルターが設けられている点にある。
【００１７】
上記特徴構成によれば、浴槽から排水路に流出する湯水にゴミなどが含まれている場合に、湯水に含まれるゴミ等がフィルターにより除去される。よって、フィルターよりも下流側に設けられた動作部にゴミ等が付着することを防止することができる。これにより、動作部に動作不良等が発生することを予防することができる。
【図面の簡単な説明】
【００１８】
【図１】自動風呂装置の全体構成図
【図２】浴槽に接続された排水路の概略断面図
【図３】湯水供給制御部の構成を示すブロック図
【図４】湯水供給制御部による湯張り運転時の制御を示すフローチャート
【発明を実施するための形態】
【００１９】
本発明に係る自動風呂装置の実施形態を、図面に基づいて説明する。
図１に示すように、この自動風呂装置には、浴槽Ｙ１に湯水を供給する湯水供給部１と、湯水供給部１の作動を制御する湯水供給制御部Ｈとが備えられている。本実施形態では、湯水供給制御部Ｈは、湯水供給部１の内部に装備されている。また、湯水供給制御部Ｈは、湯張り処理の指令を受けると、湯水供給部１によって上水道等の給水管Ｃ２から供給される上水を昇温し、その昇温した湯水を浴槽Ｙ１に供給する。
【００２０】
また、自動風呂装置には、浴槽Ｙ１に接続された排水路Ｙ４の途中に設けられ、浴槽Ｙ１から排水路Ｙ４へ排出された湯水の流れにより動作する動作部としての回転部１０と、回転部１０の動作により発電する発電部Ｚと、発電部Ｚにおいて発電された電力Ｖにより作動し、かつ、発電部Ｚから電力Ｖが供給されると湯水排出信号Ｓａを無線で送信する無線信号送信部Ｓが設けられている。
【００２１】
さらに、自動風呂装置には、無線信号送信部Ｓから無線で送信された湯水排出信号Ｓａを受信して、湯水排出信号Ｓａを湯水供給制御部Ｈに伝える無線信号受信部Ｒ３が備えられている。この無線信号受信部Ｒ３は、浴槽Ｙ１が配設された浴室Ｙに設置された浴室リモコンＲに設けられている。
【００２２】
湯水供給部１には、一端が給水管Ｃ２に接続され、他端が接続配管Ｃ３に接続された湯水供給用配管Ｃ１が備えられている。そして、接続配管Ｃ３が浴槽Ｙ１の湯水流入部Ｙ２に連結されている。湯水供給用配管Ｃ１は、上水の通流方向上流側から順に、湯水供給用配管Ｃ１を通流する上水の流量を検出する給湯水量センサＳ２、給水管Ｃ２から供給される上水の温度を検出する入水サーミスタＳ１が設けられている。さらに、湯水供給用配管Ｃ１には、複数の伝熱板Ｎ１、通流量調整式の給水電磁弁Ｋ１、及び、浴槽Ｙ１に供給される湯水の温度を検出する給湯サーミスタＳ３、浴槽Ｙ１内の水量を検出する水位センサＳ４が上水の通流方向上流側から順に設けられている。
【００２３】
湯水供給部１には、湯水供給用配管Ｃ１と伝熱板Ｎ１とにより構成された熱交換部Ｎと、この熱交換部Ｎを加熱するバーナＢと、バーナＢに一定の流量の燃焼用空気Ａを供給する送風機３とが設けられる。熱交換部Ｎの下方に設けられたバーナＢの燃焼によって発生する燃焼ガスＭが、熱交換部Ｎに供給され、湯水供給用配管Ｃ１を通流する上水が、バーナＢの燃焼ガスＭとの熱交換により加熱される。つまり、この湯水供給部１は、ガス瞬間湯沸し器として構成されている。
【００２４】
バーナＢには、外部から燃料ガスＧが供給される燃料供給管２が接続されている。燃料供給管２には、燃料ガスＧの流量調節を行うガス比例弁Ｋ２が設けられている。そして、ガス比例弁Ｋ２の開度を調整することにより燃料ガスＧの供給量を調節することで、バーナＢの燃焼量が調節自在に構成されている。
【００２５】
バーナＢの燃焼量は、湯水供給制御部Ｈによって、浴室リモコンＲの入力部Ｒ１から入力された設定目標温度や入水サーミスタＳ１により検出された上水の温度及び流量から求められる。その求められた燃焼量に基づいて、湯水供給制御部Ｈに記憶されているバーナＢの燃焼量とガス比例弁Ｋ２の開度との関係を示すテーブルより、ガス比例弁Ｋ２の開度を制御してバーナＢの燃焼量を所望の燃焼量に調整するように構成されている。
【００２６】
次に、浴室リモコンＲについて説明する。
図１に示すように、浴室Ｙに設置された浴室リモコンＲには、湯水供給制御部Ｈに対して自動風呂装置の運転状態を指令する入力部Ｒ１、利用者への情報の出力を行う報知部Ｒ２、及び、湯水排出信号Ｓａを受信する無線信号受信部Ｒ３が設けられている。
【００２７】
入力部Ｒ１は、浴槽Ｙ１への湯張り時における湯水の設定目標湯量と設定目標温度とを設定可能に構成されている。この入力部Ｒ１には、湯張りを指令する湯張りボタンが設けられている。湯張りボタンは、浴槽Ｙ１内に湯水がない状態から、設定目標温度の昇温水を設定目標湯量となるように浴槽内に供給する湯張り処理の実行を指令する湯張指令を湯水供給制御部Ｈに出力するためのものである。
【００２８】
報知部Ｒ２は、液晶表示部やスピーカ等で構成され、液晶表示部における表示やスピーカから音声を出力することにより自動風呂装置の利用者へ情報の出力を行っている。
【００２９】
無線信号受信部Ｒ３は、上述の如く、無線信号送信部Ｓから送信された湯水排出信号Ｓａを受信可能に構成され、無線信号送信部Ｓから送信された湯水排出信号Ｓａを受信すると、湯水供給制御部Ｈに湯水排出信号Ｓａを伝えるように構成されている。
【００３０】
次に、図３に基づいて湯水供給制御部Ｈについて説明する。
湯水供給制御部Ｈは、マイクロコンピュータを備えたプログラム制御方式のコントローラで構成されている。この湯水供給制御部Ｈは、入水サーミスタＳ１、給湯水量センサＳ２、給湯サーミスタＳ３、水位センサＳ４、浴室リモコンＲに設けられた入力部Ｒ１及び無線信号受信部Ｒ３における検出情報等が入力されるように構成されている。また、湯水供給制御部Ｈは、浴室リモコンＲの報知部Ｒ２、給水電磁弁Ｋ１、ガス比例弁Ｋ２、及び、送風機３と通信可能に接続されて、それらに対して作動を指令するように構成されている。
【００３１】
湯水供給制御部Ｈは、浴室リモコンＲの入力部Ｒ１から浴槽Ｙ１への昇温水の湯張りを開始する湯張指令を受け付けると、設定目標温度の湯水を目標湯量となるように浴槽Ｙ１内に供給する湯張り処理を実行するように構成されている。
また、湯水供給制御部Ｈは、湯張り処理の実行時において、無線信号受信部Ｒ３から湯水排出信号Ｓａを受けた場合に、浴槽Ｙ１の排水路Ｙ４を開閉する排水栓Ｙ３が開いていると判断するように構成され、さらに、排水栓Ｙ３が開いていると判断した場合に、浴槽Ｙ１への湯水の供給を停止して湯張り処理を中止するように構成されている。
【００３２】
次に、浴槽Ｙ１の排水路Ｙ４に設けられた回転部１０及び発電部Ｚについて説明する。
図２に回転部１０及び発電部Ｚの断面図を示す。図２に示すように、排水路Ｙ４は浴槽Ｙ１の底部に接続された排水管１２により形成されている。また、排水路Ｙ４において回転部１０よりも浴槽Ｙ１側に、浴槽Ｙ１から排出された湯水が通過するフィルター１１が設けられている。フィルター１１はステンレス製の金網等で構成されている。また、フィルター１１は円盤状に形成され、その外周部の全周が、排水管１２の内周面の全周に当接する状態で、排水管１２の内周面側に設けられた載置部１２ａに着脱自在に載置されている。このフィルター１１により、浴槽Ｙ１から排水路Ｙ４に流出する湯水に含まれるゴミが除去される。
【００３３】
回転部１０は、排水管１２に固定された回転軸部材支持体１７に回転可能な状態で支持された回転軸部材１５の一端部に設けられている。この回転部１０には、回転軸部材１５と固定する軸固定部１０ｂと、軸固定部１０ｂから径外方に延びる板状の複数の翼部１０ａとが備えられている。翼部１０ａは、排水路Ｙ４の軸方向に対して傾斜する状態で複数設けられている。
【００３４】
回転軸部材１５は長手部材であり、長手方向が排水管１２の管軸方向に沿う状態で、回転軸を排水管１２の管軸に一致させた状態で回転軸部材支持体１７によって支持されている。よって、回転部１０は、排水管１２の管軸方向に沿う回転軸周りに回転するように構成されている。
【００３５】
発電部Ｚは回転軸部材１５に接続されている。発電部Ｚは、永久磁石部Ｔ、永久磁石部Ｔを回転軸部材１５に固定する磁石固定部材１６、及び、永久磁石部Ｔと対向する位置に設けられたコイル１８とにより構成されている。
【００３６】
排水路Ｙ４において、回転部１０の湯水の流れの下流側に、永久磁石部Ｔと磁石固定部材１６が、永久磁石部Ｔの下流側の端面と磁石固定部材１６の上流側の端面とが固定された状態で設けられている。
磁石固定部材１６には、回転軸部材１５に固定される軸側固定部１６ａと、永久磁石部Ｔにその上流側の端面が固定される軸側固定部１６ａよりも大径の外側環状部１６ｂと、軸側固定部１６ａと外側環状部１６ｂとを接続する複数の接続部材１６ｃとが設けられている。複数の接続部材１６ｃは、接続部材１６ｃ同士の間に湯水が通流する隙間を形成する状態で設けられている。
【００３７】
永久磁石部Ｔは、複数の磁石が組み合わされて中空円筒状に形成されている。すなわち、永久磁石部Ｔは、永久磁石部Ｔの周方向において中心角度９０°に対応する円弧毎にＮ極とＳ極が交互に並べられた状態となるように複数の磁石が組み合わされて中空円筒状に形成されている。そして、上述の如く、永久磁石部Ｔは磁石固定部材１６によって回転軸部材１５に固定され、回転部１０の回転に伴って回転するように構成されている。
【００３８】
また、排水管１２の外側において、排水路Ｙ４内に設けられた永久磁石部Ｔと排水管１２の径方向において対向する位置にコイル１８が設けられている。
【００３９】
そして、発電部Ｚの下流側に、上述の如く、回転軸部材１５を回転自在に支持する回転軸部材支持体１７が排水管１２に固定された状態で設けられている。この回転軸部材支持体１７には、回転軸部材１５を回転可能な状態で支持する支持部１７ａと、支持部１７ａと排水管１２の内面とを固定する複数の固定用部材１７ｂとが設けられている。複数の固定用部材１７ｂは、固定用部材１７ｂ同士の間に湯水が通流する隙間を形成する状態で設けられている。
【００４０】
つまり、排水路Ｙ４内において、浴槽Ｙ１から排出された湯水が流れる方向の上流側から順に、回転部１０、永久磁石部Ｔ、磁石固定部材１６、回転軸部材支持体１７が設けられ、これらの軸中心に回転軸部材１５が設けられている。回転部１０の上流側から回転軸部材支持体１７の下流側に向かって湯水が通流するように構成されている。
【００４１】
これにより、湯張り処理において排水栓Ｙ３が開状態となっている場合には、湯水供給部１から浴槽Ｙ１に供給した湯水が、浴槽Ｙ１から排水路Ｙ４へ排出され、その排出された湯水により回転部１０が回転する。そして、回転部１０の回転に伴って、周方向においてＮ極とＳ極とが交互に形成された永久磁石部Ｔが回転し、排水管１２の外側に固定されたコイル１８を鎖交する磁束が時間的に変化することにより起電力が発生して発電部Ｚが発電状態となり、発電部Ｚから電力Ｖが出力される。
【００４２】
図２に示すように、発電部Ｚには、発電部Ｚにおいて発電された電力Ｖにより作動する無線信号送信部Ｓが接続されている。無線信号送信部Ｓは、発電部Ｚのコイル１８から出力された電力Ｖが供給されるように構成され、供給された電力Ｖにより作動するように構成されている。
【００４３】
また、無線信号送信部Ｓは、発電部Ｚのコイル１８から電力Ｖが供給されると湯水排出信号Ｓａを無線で送信するように構成されている。よって、回転部１０が回転することにより、コイル１８から電力Ｖが出力されると、その電力Ｖが無線信号送信部Ｓに供給され、無線信号送信部Ｓから湯水排出信号Ｓａが無線で迅速に送信される。この湯水排出信号Ｓａが、上述した無線信号受信部Ｒ３によって受信され、湯水供給制御部Ｈに伝えられる。
【００４４】
なお、湯張り処理において排水栓Ｙ３が閉状態となっている場合には、湯水供給部１から浴槽Ｙ１に供給した湯水が、浴槽Ｙ１から排水路Ｙ４へ排出されないので、回転部１０が回転することはない。この場合、発電部Ｚから電力Ｖが出力されないので、無線信号送信部Ｓから湯水排出信号Ｓａが送信されることはない。
【００４５】
次に、湯水供給制御部Ｈの浴槽Ｙ１の湯張り時の制御について、図４のフローチャートに基づいて説明する。
湯水供給制御部Ｈは、使用者による浴室リモコンＲの湯張りボタンの操作により湯張指令が指令されると湯張り処理を開始する（＃１）。湯水供給制御部Ｈは、湯張り処理が開始されると、給水電磁弁Ｋ１を開けて、給水管Ｃ２から上水を湯水供給用配管Ｃ１に供給し、入水サーミスタＳ１により上水の水温を検出し、給湯水量センサＳ２により湯水供給用配管Ｃ１を通流する上水の流量を検出する（＃２）。次に、湯水供給制御部Ｈは、上水の温度及び流量の検出結果に基づいて上水が設定目標温度に昇温されるようにバーナＢの燃焼量を調整して湯水の浴槽Ｙ１への供給を開始する（＃３）。その際、湯水供給制御部Ｈは、給湯サーミスタＳ３によって検出される湯水の温度が設定目標温度となるようにバーナＢの燃焼量のフィードバック制御を行う。
【００４６】
湯水の浴槽Ｙ１への供給を開始した後、湯水供給制御部Ｈは、無線信号受信部Ｒ３から湯水供給制御部Ｈに湯水排出信号Ｓａが伝達されるか否かを判定する、つまり、湯水供給制御部Ｈが無線信号受信部Ｒ３から湯水排出信号Ｓａを受信するか否かを判定する（＃４）。そして、湯水供給制御部Ｈが無線信号受信部Ｒ３から湯水排出信号Ｓａを受信した場合には、浴槽Ｙ１の排水栓Ｙ３が開かれた状態であると判断して、湯水の浴槽Ｙ１への供給を中止する（＃５）。さらに、湯水供給制御部Ｈは、報知部Ｒ２より排水栓Ｙ３が開かれた状態であることを液晶画面上への表示及びスピーカからの音声等により報知する（＃６）。これにより、排水栓Ｙ３が開かれた状態となっていることを利用者に報知することができる。
【００４７】
一方、湯水の浴槽Ｙ１への供給を開始した後、湯水供給制御部Ｈが無線信号受信部Ｒ３から湯水排出信号Ｓａを受信しない場合は、湯水供給制御部Ｈは、水位センサＣ４により浴槽Ｙ１に供給された湯水が設定目標湯量となっているか否かを判定する（＃７）。なお、この設定目標湯量となっているか否かを判定においては、湯張り処理の開始後において給湯水量センサＳ２によって検出された上水の積算量が設定目標湯量となっているか否かを判定してもよい。
【００４８】
そして、設定目標湯量となっていない場合は、再度、湯水供給制御部Ｈが無線信号受信部Ｒ３から湯水排出信号Ｓａを受信するか否かを検出する（＃４）。一方、設定目標湯量となっている場合は、湯水供給制御部Ｈは、給水電磁弁Ｋ１及びガス比例弁Ｋ２を閉じて浴槽Ｙ１への湯水の供給を停止して湯張り処理を中止する（＃８）。これにより湯張り処理が終了する。
【００４９】
〔別実施形態〕
以下、別実施形態を列記する。
【００５０】
（１）上記実施形態では、湯水供給部１をガス瞬間湯沸し器として構成したが、これに限らず、湯水供給部１を湯水が貯留される貯湯槽としてもよい。
【００５１】
（２）上記実施形態では、無線信号受信部Ｒ３は、浴槽Ｙ１が配設された浴室Ｙに設置された浴室リモコンＲに設けられたが、これに限らず他の装置に設けてもよい。例えば、無線信号受信部Ｒ３を、浴室Ｙに隣接された洗面脱衣室等に設けられ、湯水供給制御部Ｈと通信可能に構成されたリモコンに設けてもよい。
【００５２】
（３）上記実施形態では、無線信号受信部Ｒ３における湯水排出信号Ｓａの受信が検出された場合において、湯水の浴槽Ｙ１への供給を中止した後に、報知部Ｒ２より排水栓Ｙ３が開かれた状態となっていることを報知したが、これに限らない。例えば、無線信号受信部Ｒ３における湯水排出信号Ｓａの受信が検出された場合において、報知部Ｒ２より排水栓Ｙ３が開かれた状態となっていることを報知した後に、湯水の浴槽Ｙ１への供給を中止してもよい。その他、報知部Ｒ２より排水栓Ｙ３が開かれた状態となっていることの報知と、湯水の浴槽Ｙ１への供給の中止を同時にしてもよい。
【００５３】
（４）上記実施形態では、発電部Ｚのコイル１８が、排水管１２の外側に設けられたが、これに限らず、排水管１２の内部にコイル１８を備えた構成としてもよい。さらに無線信号送信部Ｓを排水管１２内に設けてもよい。
【００５４】
（５）上記実施形態では、回転部１０は、排水管１２の管軸方向に沿う回転軸周りに回転するように構成されたが、回転部１０の回転軸はこれに限られるものではない。例えば、回転部１０を、排水管１２の管軸方向に垂直な回転軸周りに回転するように構成してもよい。
【００５５】
（６）上記実施形態では、回転部１０の翼部１０ａが、回転部１０の中心から径外方に延びる複数の板状体で構成されたが、翼部１０ａの形態はこれに限られるものではない。例えば、翼部１０ａを、排水管１２の周方向に巻回する螺旋状に形成してもよい。
【００５６】
（７）上記実施形態では、無線信号送信部Ｓが、コイル１８から電力Ｖが無線信号送信部Ｓに供給された場合に、迅速に湯水排出信号Ｓａを無線で送信するように構成されたが、これに限らず、無線信号送信部Ｓを、コイル１８から電力Ｖが所定の期間において連続で無線信号送信部Ｓに供給された場合に、湯水排出信号Ｓａを無線で送信するように構成してもよい。また、無線信号送信部Ｓを、コイル１８から無線信号送信部Ｓに供給された電力Ｖの積算電力値が所定の電力値となった場合に、湯水排出信号Ｓａを無線で送信するように構成してもよい。
【００５７】
尚、上記実施形態（別実施形態を含む、以下同じ）で開示される構成は、矛盾が生じない限り、他の実施形態で開示される構成と組み合わせて適用することが可能であり、また、本明細書において開示された実施形態は例示であって、本発明の実施形態はこれに限定されず、本発明の目的を逸脱しない範囲内で適宜改変することが可能である。
【産業上の利用可能性】
【００５８】
以上説明したように、湯張り処理の開始後において迅速に浴槽の排水栓の開状態を判断して、浴槽に供給される湯水及びその湯水を加熱するために要したエネルギーが無駄になることを簡便に防止することができる自動風呂装置を提供することができる。
【符号の説明】
【００５９】
１      湯水供給部
１０    回転部（動作部）
１１    フィルター
Ｈ      湯水供給制御部
Ｒ      浴室リモコン
Ｓ      無線信号送信部
Ｒ３    無線信号受信部
Ｓａ    湯水排出信号
Ｖ      電力
Ｙ      浴室
Ｙ１    浴槽
Ｙ３    排水栓
Ｙ４    排水路
Ｚ      発電部
【図１】
2016166716.tif 000003
【図２】
2016166716.tif 000004
【図３】
2016166716.tif 000005
【図４】
2016166716.tif 000006